(57)【特許請求の範囲】
【請求項１】
第１部分および第２部分を備える電気化学装置であって、
前記第１部分は、
・電解質を構成する外部流体に露出したときにガルバニ電池を提供するように適合された第１電極および第２電極と、
・１以上の電気化学システムと、を備え、
前記ガルバニ電池は、作動中に、前記１以上の電気化学システムに電力を供給するように適合されており、
前記第２部分は、前記第１電極と前記第２電極との間に生成された電位を増幅するように適合された昇圧コンバータを備え、
前記１以上の電気化学システムは、電解質を構成する前記外部流体に露出したときに前記昇圧コンバータの出力側に接続された第３電極と前記第２電極とによって提供される電解槽であり、それにより、前記第１電極、前記第２電極または前記第３電極のうちの１つ以上から、作動中に、電解質を構成する前記外部流体にイオンが放出され、
前記電気化学装置はボトルに装着されるボトルキャップであって、前記第１電極、前記第２電極および前記第３電極は、前記ボトル内の前記外部流体に露出するように配置された前記ボトルキャップの内面に設けられ、それにより、前記第１電極、前記第２電極および前記第３電極が前記ボトル内の前記外部流体に露出したとき、前記第１電極、前記第２電極および前記第３電極のうちの１つ以上から前記ボトル内の前記外部流体にイオンが放出される、
電気化学装置。
【請求項２】
前記第１電極は前記ガルバニ電池のカソード電極であり、前記第３電極は前記電解槽のカソード電極であり、前記第２電極は前記ガルバニ電池および前記電解槽により共有される、共通アノード電極である、
請求項１に記載の電気化学装置。
【請求項３】
前記１以上の電気化学システムは、少なくとも２つの電気化学システムである、
請求項１に記載の電気化学装置。
【請求項４】
前記少なくとも２つの電気化学システムは、電解槽および電動デバイスである、
請求項３に記載の電気化学装置。
【請求項５】
前記昇圧コンバータは、強磁性体からなるトロイダルコアを含むトロイダルコアインダクタの形態のインダクタと、トロイダルコアの周囲に巻かれるコイルとを備える、
請求項１から４のいずれか一項に記載の電気化学装置。
【請求項６】
前記第１電極が、カーボンナノチューブまたはフラーレンなどのグラフェンを含み、前記第２電極がマグネシウムまたは亜鉛を含み、前記第３電極が銀または銅を含む、
請求項１に記載の電気化学装置。
【請求項７】
前記電気化学装置は、容器内の水を清浄化するように適合された浄水装置であり、前記第１電極、前記第２電極および前記第３電極は、少なくとも部分的に水中に沈められるように適合されたハウジング内に配置され、前記第１電極、前記第２電極および前記第３電極は、水没するように適合された前記ハウジングの外面に設けられ、それにより、前記第１電極、前記第２電極および前記第３電極が例えば水などの前記外部流体に露出したとき、前記第１電極、前記第２電極および前記第３電極のうちの１つ以上から前記外部流体にイオンが放出される、
請求項１に記載の電気化学装置。
【発明の詳細な説明】
【技術分野】
【０００１】
本発明は、電極が電解質を構成する流体に露出したときにガルバニ電池を提供するように適合された第１電極および第２電極を含む電気回路と、第１電極と第２電極との間に生成された電位を増幅するように適合された昇圧コンバータを備える、イオンを放出する電気化学装置に関する。本発明はさらに、このようなイオンを放出する電気化学装置を含む、流体に関連して使用されるように適合された、例えば、歯ブラシまたはシェーバーなどの装置に関する。
【背景技術】
【０００２】
ミネラルやイオンは広く使用されており、人体に対する効能について広く認識されている。ミネラルおよびイオンは、例えば、細菌、ウイルスおよび真菌感染の形成を防止するために使用される場合がある。微小電流の使用は、細菌の除去、人体の細胞の刺激、または媒体中の輸送であるイオン導入法といった目的でも知られており、薬物の身体への非侵襲的な送達に使用することができる。さらに、様々な波長の光には、様々な有益な効果があることが知られている。
【０００３】
近年、多くの伝統的な製品が、ユーザの健康に良い方法で改善されること、または寄与することを目的に、再設計またはアップグレードされてきた。歯ブラシやシェーバーなど、日常生活で使用される様々な装置は、基本機能を備えた安価な使い捨て品である。このような装置の機能性の改善の可能性については、製造コストをできるだけ低く保つ必要性により、しばしば制限されている。改善は、例えば、新しい健康改善機能を提供するといった装置の直接的な機能に向けられてもよく、または、ユーザの利便性を向上させ、それによってコンプライアンスや正しい使用法を改善するといった間接的なものに向けられてもよい。
【０００４】
歯ブラシおよびシェーバーは、電子技術および内部電源に基づく様々な機能を含むように開発されてきた。例えば、電子歯ブラシは、ブラッシング中に様々なパラメータを測定して、ブラッシングの品質を改善することができる。他の例としては、イオンの放出を制御する電源を組み込んだイオン歯ブラシ、および剃り味を向上させるためのバッテリ駆動式の振動モジュールを組み込んだシェーバーがある。これらの装置に関連する欠点は、装置の複雑化、ひいては装置のコストの増加である。
【０００５】
製品の複雑さやコストを大幅に増加させることなく、日常で使用する装置の機能を向上させる必要がある。さらに、毎日の生活の中で広く使用される装置に、イオンまたはミネラルの放出といった健康推進機能を組み込むことは有益である。
【発明の目的】
【０００６】
本発明の目的は、処置の質およびユーザの健康状態の向上を手助けする簡易な装置を提供することである。
【０００７】
特に、本発明のさらなる目的は、使用中にイオン、ミネラルおよび／または微小電流を放出することができて、比較的安価に製造できる装置を提供することである。
【０００８】
さらに、本発明の目的は、バッテリなどの内蔵電源を必要とせずに電力を供給される電気回路を組み込んだ、日常で使用する装置を提供することである。
【発明の概要】
【０００９】
したがって、本発明の第１の態様においては第１部分と第２部分とを備える電気化学装置を提供することで、上記の目的および他のいくつかの目的が達成されるように意図されており、第１部分は、第１および第２電極が電解質を構成する外部流体に露出したときにガルバニ電池を提供するように適合された第１および第２の電極と、１以上の電気化学システムと、作動中に、１以上の電気化学システムに電力を供給するように適合されたガルバニ電池と、を備え、第２部分は、第１電極と第２電極との間に生成された電位を増幅するように適合された昇圧コンバータを備える。
【００１０】
外部流体とは、備えられていない、すなわち電気化学装置には存在しない流体である。外部流体は、塩を含む水溶液であってもよい。外部流体は、汗または唾液などの体液であってもよい。１以上の電気化学システムは、電解槽および／または発光素子のような電動デバイスであってもよい。
【００１１】
したがって、いくつかの実施の形態では、１以上の電気化学システムは、電動デバイスである。
【００１２】
いくつかの他の実施の形態では、１以上の電気化学システムは、少なくとも２つの電気化学システムである。
【００１３】
いくつかのさらなる実施の形態では、少なくとも２つの電気化学システムは、電解槽および電動デバイスである。
【００１４】
いくつかの実施の形態では、電動デバイスは、昇圧コンバータの出力側に接続された、発光素子または超音波トランスデューサである。
【００１５】
いくつかの実施の形態では、電気化学装置はハンドヘルド装置であって、第１部分はユーザの手に保持される柄部であり、第２部分は外部流体と接触するように適合されたヘッド部である。
【００１６】
第１および第２電極は、電気化学システム、ガルバニ電池、要するに外部流体に露出する必要がある第１および第２電極に電力を供給するために、第１部分またはヘッド部に位置している。したがって、第１および第２電極は、外部から、すなわち電気化学装置の外部から提供され、電気化学装置に含まれない流体に露出するようにされる。そのため、第１および第２電極は、第１部分またはヘッド部の外面上に存在する外部流体に露出するように、第１部分またはヘッド部の外面上に配置されてもよい。
【００１７】
したがって、本発明の第１の態様において、イオンを放出する電気化学装置を提供することで、上記の目的および他のいくつかの目的が達成されるように意図されており、電気化学装置は電気回路を有しており、電気回路は、電極が電解質を構成する流体に露出したときにガルバニ電池を提供するように適合された第１電極および第２電極と、第１電極と第２電極との間に生成された電位を増幅するように適合された昇圧コンバータと、を備え、電気回路は、昇圧コンバータの出力側に接続された第３電極をさらに備え、第２電極および第３電極は、電解質を構成する流体に露出すると、ガルバニ電池により電力を供給される電解槽を提供するように適合され、それにより、ガルバニ電池および電解槽における電気分解の間に、１以上の電極から電解質中にイオンが放出される。
【００１８】
したがって、いくつかの実施の形態では、１以上の電気化学システムは、電解質を構成する外部流体に露出したとき、昇圧コンバータの出力側に接続された第３電極および第２電極により提供される電解槽であってもよく、それにより、作動中に、１以上の第１、第２、および第３電極から電解質を構成する外部流体にイオンが放出される。
【００１９】
第１および第２電極について説明したように、第３電極および第２電極もまた、電解槽を提供するために外部流体に露出される必要がある。したがって、第１、第２および第３の電極は、第１部分またはヘッド部に配置される。第１、第２および第３の電極は、したがって、外部から、すなわち電気化学装置の外部から提供され、電気化学装置に備えられていない流体に露出するように適合される。そのため、第１、第２および第３電極は、第１部分またはヘッド部の外面上に存在する外部流体に露出するように、第１部分またはヘッド部の外部表面のいずれかに配置されてもよい。
【００２０】
これにより、イオン、ミネラルおよび微小電流を放出することができる自己給電型の電気化学装置が提供される。電気化学装置は、多種多様な製品に実装することができ、そのいくつかを以下にさらに説明する。ガルバニ電池および内蔵化された昇圧コンバータは、様々な電動デバイスに電力を供給するのに十分な出力電位や、電解槽の電気分解を提供する。これにより、電極に適した材料を選択することで、装置が有益な特性を有するイオンおよびミネラルを放出することができる。イオンおよびミネラルは、様々な目的、例えば、ヒトまたは動物の体に関して、または洗浄または消毒のために使用されてもよい。電気分解のさらなる成果は、電極間に電界が形成されることである。そのような電界は、放出されたイオンの輸送のためのイオン導入プロセスにおいて使用されてもよい。イオン導入法は、例えば、荷電したイオンを体内に輸送するために使用されてもよい。
【００２１】
電気化学装置の一の実施の形態では、第１電極はガルバニ電池のカソード電極であってもよく、第３電極は電解槽の第２カソード電極であってもよく、第２電極はガルバニ電池と電解槽とで共有される共通のアノード電極であってもよい。いくつかの実施の形態では、第１電極はガルバニ電池のカソード電極であり、第３電極は電解槽のカソード電極であり、第２電極はガルバニ電池と電解槽で共有される共通アノード電極である。
【００２２】
別の実施形態では、第３電極は第２のアノード電極を構成してもよい。さらに、電気回路は、昇圧コンバータの出力側に接続された第２アノード電極を構成する第４電極を含んでもよい。いくつかの実施形態では、第４の電極はカソードであってもよい。さらに、第１の電極は、金、銀、銅、鉛、スズ、ニッケル、コバルト、鉄、クロム、亜鉛、マンガン、グラフェン、カーボンナノチューブ、またはフラーレンから選択される材料または材料の組み合わせを含んでもよい。第２電極は、リチウム、ルビジウム、カリウム、セシウム、バリウム、ストロンチウム、カルシウム、ナトリウム、マグネシウム、アルミニウム、およびスズから選択される材料または材料の組み合わせを含んでもよい。第３および第４電極は、上記の材料群のいずれかから選択された材料または材料の組み合わせを含んでもよい。
【００２３】
第１電極が第１カソード電極である実施の形態では、第１電極は、好ましくは、金、銀、銅、グラファイト、またはカーボンナノチューブなどのグラフェンから選択される材料または材料の組み合わせを含んでもよく、共通アノード電極である第２電極は、好ましくは、マグネシウムまたは亜鉛から選択される材料または材料の組み合わせを含んでもよく、第２カソード電極である第３電極は、好ましくは、金、銀または銅から選択される材料または材料の組み合わせを含んでもよい。
【００２４】
さらに、電気化学装置の電気回路は、昇圧コンバータの出力側に接続された発光素子または超音波トランスデューサを備えてもよい。これにより、関連する有益な効果を持つ光およびパルスが装置から放出されてもよい。さらに、発光素子は、細菌を死滅させるのに適した紫外線スペクトルで発光するように適合されてもよい。
【００２５】
発光素子または超音波トランスデューサの代替物または補足物として、電気回路は、昇圧コンバータの出力側に接続されたラウドスピーカなどの他の電動デバイスを備えてもよい。電気回路はまた、発光素子および超音波トランスデューサの両方を備えてもよい。また、電気回路は、時間を測定するためのタイマ回路を備えていてもよい。
【００２６】
上述の電気化学装置の昇圧コンバータは、強磁性体からなるトロイダルコアを含むトロイダルコアインダクタの形態のインダクタと、コイルとを含んでもよい。
【００２７】
本発明のさらなる実施の形態によれば、上記の電気化学装置は、歯ブラシに組み込まれてもよく、電極は歯ブラシのブラシヘッド部に設けられ、電極からイオンを口腔内に放出することができる。さらに、電極によって生成された電界は、放出されたイオンの、例えば歯への輸送を容易にするなどの、ある有益な効果を有してもよい。
【００２８】
本発明のさらに別の実施の形態によれば、上記の電気化学装置は、シェーバーヘッド部を備えたシェーバーに組み込まれてもよく、電極はシェーバーヘッド部に設けられており、電極からイオンを皮膚上に放出することができる。さらに、電極によって形成される電界は、放出されたイオンの皮膚内への輸送を容易にするなどの、ある有益な効果を有してもよい。
【００２９】
本発明のさらに別の実施の形態によれば、上記の電気化学装置は、ボトルまたは他のタイプの容器のボトルキャップに組み込まれてもよく、電極はボトルキャップの内面に設けられて、ボトル内の流体に露出するように適合されており、それにより、電極が流体に露出すると、電極からボトル内の流体中にイオンが放出されてもよい。
【００３０】
本発明のさらに別の実施の形態によれば、上記の電気化学装置は、容器内の流体を清浄化するように適合された浄水装置に組み込まれてもよく、電気化学装置は、少なくとも部分的に流体中に沈められるように適合されたハウジング内に配置され、電極は、水没するように適合されたハウジングの外面上に設けられ、それにより、電極が流体に露出すると、電極から流体中にイオンが放出されてもよい。
【００３１】
本発明のなおさらなる実施の形態によれば、上記の電気化学装置は、負傷した皮膚を洗浄する創傷消毒装置に組み込まれてもよく、電気化学装置は、ハウジング内に配置され、電極は、負傷した皮膚の領域に押し当てられるように適合された外部インターフェース上に設けられ、それにより、電極が負傷した領域の流体に露出すると、電極から流体および創傷内にイオンが放出されてもよい。さらに、電極によって形成される電界は、放出されたイオンの皮膚および創傷への輸送を容易にするなどの、ある有益な効果を有してもよい。
【００３２】
本発明のなおさらなる実施の形態によれば、上記の電気化学装置は、電気回路に接続された複数の発光素子を含む光バンドに組み込まれてもよく、電極は、ユーザの皮膚と接触するように適合されている光バンドの内面上に配置されており、それにより、電極が汗などの皮膚上の流体に露出すると、ガルバニック素子によって生成された電位が発光素子に電力を供給し、電極からイオンが放出される。
【００３３】
あるいは、光バンドは、光バンドの内面上に配置され、内面が流体にさらされたときにガルバニ電池を提供するように適合された第１および第２電極のみを備えてもよく、複数の発光素子は、電気回路の昇圧コンバータの出力側に接続されてもよく、これによりガルバニ電池によって電力が供給される。
【００３４】
上記の目的および他のいくつかの目的は、本発明の別の実施の形態において、流体に関連して使用されるように適合された歯ブラシまたはシェーバーのようなハンドヘルド装置を提供することで達成されてもよく、ハンドヘルド装置は、ユーザの手に保持される柄部と、ブラシ組立体またはカミソリ組立体などの機能ユニットが設けられたヘッド部と、電気回路とを備え、ヘッド部は、ヘッド部が流体に露出したときにガルバニ電池を提供するように適合された少なくとも第１電極および第２電極を備え、第１電極および第２電極は、第１および第２電極との間に生成された電位を増幅するように適合された、昇圧コンバータを含む電気回路に接続され、ハンドヘルド装置は、昇圧コンバータの出力側に接続された、例えば発光素子などの電動デバイスをさらに備える。
【００３５】
ハンドヘルド装置の一の実施の形態によれば、第１電極はカソード電極であり、第２電極はアノード電極であってもよい。また、ヘッド部には、昇圧コンバータの出力側に接続された第３の電極が設けられてもよく、第２および第３電極は、ヘッド部が流体に露出したときに電解槽を提供するように適合されてもよい。さらに、第３電極は、第２カソード電極あるいは第２アノード電極であってもよい。
【００３６】
第１電極が第１カソード電極であるハンドヘルド装置の実施の形態では、第１電極は、好ましくは、金、銀、銅、グラファイト、またはカーボンナノチューブなどのグラフェンから選択された材料または材料の組み合わせを含んでもよく、共通アノード電極である第２電極は、好ましくは、マグネシウムまたは亜鉛から選択される材料または材料の組み合わせを含んでもよく、第２カソード電極である第３電極は、好ましくは、金、銀または銅から選択される材料または材料の組み合わせを含んでもよい。
【００３７】
さらに、電動デバイスは、パルスを送信するように適合された、例えばＬＥＤなどの発光素子または超音波トランスデューサであってもよい。さらに、発光素子は、細菌を死滅させるのに適した紫外線スペクトルで発光するように適合されてもよい。ハンドヘルド装置はまた、発光ダイオード装置および超音波トランスデューサの両方を備えてもよい。加えて、電動デバイスはラウドスピーカであってもよい。さらに、電気回路は、時間を測定するためのタイマ回路を含んでもよい。
【００３８】
さらに、ハンドヘルド装置の昇圧コンバータは、強磁性体からなるトロイダルコアを含むトロイダルコアインダクタの形態のインダクタと、コアの周囲に巻かれるコイルとを含んでもよい。
【００３９】
上記のハンドヘルド装置の一の実施の形態では、第１電極は、金、銀、銅、グラファイト、またはカーボンナノチューブまたはフラーレンなどのグラフェン、またはこれらの組み合わせを含んでもよく、第２電極はマグネシウムまたは亜鉛を含んでもよい。さらに、第３電極は、銀または銅を含んでもよい。
【００４０】
一の実施の形態では、ハンドヘルド装置は歯ブラシであり、ヘッド部分は歯ブラシのブラシヘッドである。別の実施形態では、ハンドヘルド装置はディッシュブラシであり、ヘッド部はディッシュブラシのブラシヘッドである。さらに、１以上の電極は、歯ブラシまたはディッシュブラシのブラシ組立体に組み込まれてもよい。
【００４１】
あるいは、ハンドヘルド装置はシェーバーであってもよく、ヘッド部は、1以上のカミソリ刃が設けられたシェーバーヘッドである。
【００４２】
本発明のさらなる実施の形態、利点および特徴は、従属請求項、明細書、および添付図面を参照して明らかになるものである。
【００４３】
本発明の第1および他の態様および／または実施の形態はそれぞれ、他の態様および／または実施の形態のいずれかと組み合わせられてもよい。本発明のこれらおよび他の態様および／または実施の形態は、以下に記載された実施の形態を参照して明らかになるものである。
【図面の簡単な説明】
【００４４】
本発明に係る電気化学装置およびハンドヘルド装置を、添付の図面に関してより詳細に説明する。図面は、本発明を実施する１つの方法を示すものであって、添付の請求項の範囲内の他の可能な実施の形態を限定するものとして解釈されるべきではない。
【００４５】
【図１Ａ】本発明のある一部の実施の形態に係る電気化学装置の概略図である。
【図１Ｂ】本発明のある一部の実施の形態に係る電気化学装置の概略図である。
【図１Ｃ】本発明のある一部の実施の形態に係る電気化学装置の概略図である。
【図１Ｄ】本発明のある一部の実施の形態に係る電気化学装置の電気回路の概略図である。
【図２】歯ブラシの形態の、ハンドヘルド装置の異なる実施の形態を示す。
【図３】歯ブラシのブラシヘッドを示す。
【図４】シェーバーの形態の、ハンドヘルド装置の異なる実施の形態を示す。
【図５】本発明のある一部の実施の形態に係るディッシュブラシの一の実施の形態を示す。
【図６】電気化学装置を含む浄水装置の概略図である。
【図７】電気化学装置を含む創傷消毒装置の概略図である。
【図８】電気化学装置を含むボトルキャップの断面を示す。
【図９】電気化学装置を含む光バンドの前面および裏面を示す。
【発明を実施するための形態】
【００４６】
図１Ａは、昇圧コンバータ１０１に接続された第１電極１０５および第２電極１０４を含む電気化学装置１０６を示す。第１および第２電極は、電極が、ガルバニ電池の電解質を構成する外部流体に露出したときに、ガルバニ電池１０３を提供するように適合されている。電極１０４および１０５が電解質に沈められると、入力電位として決定され得る電位（Ｖｉｎ）が、電極間に生成される。入力電位は、昇圧コンバータ１０１によって、昇圧コンバータの出力側に送達される出力電位（Ｖｏｕｔ）にまで増幅される。ガルバニ電池１０３は、電気化学装置の第１部分において、作動中に電気化学システム１０２に電力を供給するように適合されており、昇圧コンバータ１０１は、第１電極と第２電極との間に生成される電位を増幅するように適合されている。
【００４７】
図１Ｂは、ガルバニ電池１０８を提供する昇圧コンバータ１１３に接続された第１電極１０９および第２電極１１０を含む、電気化学装置１０７を示す。電気化学装置１０７において、ガルバニ電池１０８によって電力を供給される電気化学システムは、電解質を構成する外部流体に露出すると昇圧コンバータ１１３の出力側に接続された第３電極１１１および第２電極１１０によって提供される、電解槽１１２である。
【００４８】
図１Ｃは、昇圧コンバータ１１４に接続された第１電極１１９および第２電極１１８を含む、電気化学装置１２１を示す。電気化学装置１２１において、ガルバニ電池１２０は、第２電極１１８と第３電極１１７とによって提供される電解槽１１６と、昇圧コンバータ１１４の出力側に接続された電動デバイス１１５との２つの電気化学システムに電力を供給する。
【００４９】
図１Ｄは、昇圧コンバータ１８に接続された第１電極１５および第２電極１６を含む、電気回路１４を含んだ電気化学装置を示す。第１および第２電極は、電極がガルバニ電池の電解質を構成する流体に露出したときに、ガルバニ電池を提供するように適合されている。電極１４および１５が電解質に沈められると、入力電位として決定されてもよい電位（Ｖｉｎ）が、電極間に生成される。入力電位は、昇圧コンバータ１６により、昇圧コンバータの出力側に送達される出力電位（Ｖｏｕｔ）にまで増幅される。
【００５０】
昇圧コンバータ１８は、インダクタ２１およびトランジスタＴを含むＤＣ−ＤＣコンバータである。インダクタは、コア２２と、コアの周囲に巻かれたコイル２３とを含む。コイルは、トランジスタＴのコレクタ端子に接続された一次巻線と、抵抗Ｒを介してトランジスタのベース端子に接続された二次巻線とを含む。昇圧コンバータ１８は、スイッチモード電源またはブロッキング発振器とも呼ばれる。第１電極はインダクタに接続され、第２電極はトランジスタのエミッタ端子に接続される。これにより、昇圧コンバータ１８は、第１電極と第２電極との間の電位を、高周波パルスとして送達される約３〜１５Ｖの出力電位Ｖｏｕｔにまで増幅する。昇圧コンバータの出力側は、トランジスタのコレクタ端子およびエミッタ端子として定義され、出力電位は、トランジスタのコレクタとエミッタとの間の電位である。昇圧コンバータの機能に関する詳細は、当業者によって容易に理解されるべきである。さらに、昇圧コンバータは、本発明の範囲から逸脱することなく、当業者に知られている他の方法で構成することもできる。
【００５１】
昇圧コンバータによって送達される出力電位Ｖｏｕｔは、例えば発光素子、超音波トランスデューサ、または他のタイプの電動デバイスといった電動デバイス１９に電力を供給するために使用される。電極用に選択された材料によっては、昇圧コンバータは、水道水を電解質として使用して、従来の発光ダイオード、ＬＥＤまたは超音波トランスデューサを駆動するのに十分なレベルにまで、ガルバニ電池によって生成される電位を増幅することができる。
【００５２】
さらに図１Ｄを参照すると、昇圧コンバータ１８の出力側に接続された第３電極１７が、電気回路の一部として設けられている。第２電極１６と共に、第３電極１７は、電極が電解槽の電解質を構成する流体に露出すると電解槽を提供するように適合されている。出力電位Ｖｏｕｔは、第２および第３電極の間に、電解槽内の電気分解を行うのに十分な電流を生成してもよい。
【００５３】
電極の材料および電解質として使用される流体の成分次第で、様々な反応が起こり得る。一の実施の形態によれば、電極の材料は、第１電極１５がガルバニ電池のカソードを構成し、第２電極１６がガルバニ電池のアノードを構成するように選択される。第１カソード電極１５は、例えば、金、銀、銅、グラファイト、または、例えばカーボンナノチューブまたはフラーレンの形態のグラフェン、またはこれらの材料の1つまたは複数を含む合金を含んでもよい。アノード電極１６は、マグネシウム、亜鉛、またはこれらの材料の１つ以上を含む合金を含んでもよい。
【００５４】
電極が電解質に露出すると、アノード電極で酸化プロセスが生じ、それにより、マグネシウムイオンなどの正の金属イオンが流体中に放出される。酸化反応の間、電極は解放され、これらは電気回路を介して第１の電極１５またはカソード電極に移動する。カソード電極では、電極が正イオンによって吸収されるので、還元反応が起こる。これにより、カソード電極を電源の正側と見なし、アノード電極を電源の負側と見なすことができる。
【００５５】
ガルバニ電池のアノード電極とカソード電極との間に生成される電位は、電極の材料の標準電極電位によって決定される。フラーレンおよびカーボンナノチューブは、固有の電気的特性を提供しており、これらをカソード電極に使用して電極間に生成される電位を増加させてもよい。理論上の最大電位は約２．４Ｖであるが、実際には、電位はやや低く、とりわけ温度、イオン濃度、電極の抵抗に依存している。
【００５６】
上述したように、電解槽内の電解反応は、ガルバニ電池で生成される電位によって電力が供給される。また、電気分解は、選択された電極の材料に依存しており、銅イオンまたは銀イオンのような種々の金属イオンが第３電極から放出される結果となる場合がある。
【００５７】
一の実施の形態によれば、マグネシウムまたは亜鉛またはこれらを含む合金が第２電極の材料として選択され、銀または銅またはこれらを含む合金が第３電極の材料として選択される。第３電極が昇圧コンバータ１８の出力側の正側に接続される場合、第３電極は電解槽のカソード電極を構成する。この実施の形態において、第２電極は、ガルバニ電池および電解槽の両方によって共有される共通アノードを構成する。電解反応の間、アノードで酸化が起こり、カソードで還元反応が起こる。また、カソード電極での反応は、カソード電極の材料によって、銀または銅イオンの放出をもたらす場合がある。
【００５８】
電解質の構成物はまた、電極での反応およびイオンの関連する放出に影響を及ぼす場合がある。したがって、特定の特性を有する電解質を使用して、特定の結果が達成されてもよい。一般に、電極電位や溶液中のイオンの濃度は、起こる反応や、カソードとアノードで還元されて酸化されるイオンの反応それぞれに影響を及ぼす。
【００５９】
図２から５を参照して、以下に、本発明に係るハンドヘルド装置について、より詳細に説明する。ハンドヘルド装置は、ユーザの手に保持される柄部１１と、柄部から延びるヘッド部１２とを備える。また、ヘッド部には、ブラシ組立体１３ａなどの機能ユニット１３が設けられている。電気回路１４に接続された第１電極１５および第２電極１６は、ヘッド部に配置され、ヘッド部が電解質を構成する流体に露出したときにガルバニ電池を提供するように適合されている。また、ハンドヘルド装置は、電気回路に接続された、例えば発光素子１９ａなどの電動デバイス１９を備える。
【００６０】
図２（ａ）は、歯ブラシ１ａの形態のハンドヘルド装置を示す。この歯ブラシは、柄部１１と、ブラシ組立体１３ａの形態の機能ユニットが設けられたブッシュヘッド１２ａの形態のヘッド部とを含む。歯ブラシは、上述したように、電気回路１４および電極１５、１６をさらに含む。電極は、ヘッド部の両側に配置され、柄部１１に一体化された、残りの電気回路に接続される。電動デバイスは、１以上の発光ダイオードを備えてもよい発光素子１９ａである。昇圧コンバータ１８および電動デバイスを含む電気回路は、当業者が想到するように、歯ブラシのヘッド部または他の部分に一体化することもできる。
【００６１】
歯ブラシが使用されるとき、外部流体、すなわち水、唾液および／または歯磨き粉と組み合わされた電極は、上述のようにガルバニック電池を作り出す。ガルバニ電池は、昇圧コンバータ１８を介して発光素子１９ａに電力を供給し、光を放出することができる。放出された光は、機能的目的のため、およびユーザに案内するための両方に使用されることができる。一の実施の形態では、電気回路１４には、タイマ機能を提供するタイマ回路（不図示）が設けられている。タイマ機能は、歯ブラシが使用された時間を測定し、例えば、電極が初めて流体に露出したときに作動させてもよい。電極が流体に露出すると、発光素子は、特定の色、例えば赤色の光を放出する。そして所定の期間の後、例えば２分後に、放出される光を別の色、例えば、緑色に変化させる。これにより、ユーザは、どのくらい期間、歯ブラシを使用してきたかについて知らされる。発光素子は、歯ブラシが適切に使用されていることを示すように点灯してもよいし、歯ブラシの使用を推進するための簡易なギミックとされてもよい。さらに、電気回路および発光素子は、歯ブラシの最初の使用時から開始される一定期間の間のみ発光素子がオンになるよう設計されてもよい。これにより、ユーザは、歯ブラシを交換する時期を知ることができる。この機能は、ガルバニ電池が所定の期間後に動作を停止するように、例えば、ガルバニ電池の電極の大きさを適切に寸法することによって実現されてもよい。
【００６２】
別の実施の形態において、発光素子１９は、紫外線スペクトルで光を放出するように適合されてもよく、発光素子は、ヘッド部１２に、またはその付近に配置されてもよい。紫外線は、歯ブラシの使用中に、または使用と使用との間の期間に細菌を死滅させるために使用されてもよい。発光素子はまた、歯のホワイトニング効果を有する光を放射するように適合されてもよい。
【００６３】
図２（ｂ）は、図２（ａ）の実施の形態と比較して、第３電極１７を追加で備える別の実施の形態を示す。第３電極は、電気化学装置に関連して上述したように、第２カソードとして機能してもよい。これにより、歯ブラシが流体に露出したときに電解槽が形成され、電気分解が行われてもよい。電気分解は、銅イオンまたは銀イオンなどの様々なイオンを生成する場合があり、これは歯および口腔衛生に関連する有益な効果を有する可能性がある。例えば、銅イオンおよび銀イオンを用いて細菌、ウイルスおよび真菌感染と戦うことができる。さらに、プラークは陽イオンによって歯に結合するので、塩化物イオンまたは水酸化物イオンなどの陰イオンを生成することで、プラークの除去を助けることができる。さらに、電極間に形成された電位は電界を生成し、その結果、電解質中および歯の中などの口腔内の他の部分に微小電流が流れる。そのような微小電流は、歯および口腔の他の部分への、帯電したイオンの輸送を容易にし得る。
【００６４】
図２（ｃ）は、別の実施の形態を示し、図２（ａ）および図２（ｂ）に示された実施の形態に加えて、超音波トランスデューサ１９ｂを備える。超音波トランスデューサは、ヘッド部に配置され、超音波の形態で振動を放出するために使用されてもよい。放出され波長は、達成されるべき目的に基づいて決定されてもよい。例えば、プラークおよび他の不純物を除去して歯を清潔にするために超音波振動を使用することができる。
【００６５】
図３は、先に開示した実施の形態のブラシヘッドであってもよい、ブラシヘッド１２ａを示す。ブラシヘッドは、複数のブラシ１３１を含むブラシ組立体１３ａを含む。示されるように、電極は、ブラシ１３１の形態でブッシュ組立体に組み込まれてもよい。
【００６６】
さらに、ブラシヘッド１２ａが、交換可能かつ使い捨て可能なパーツを構成し、歯ブラシの残りのパーツよりも頻繁に交換することができるように、歯ブラシを設計および製造してもよい。例えば、１以上の電極を交換しなければならない場合、ブラシヘッドを変更することができることが有益である場合がある。さらに、交換可能なブラシヘッドを設けることで、歯ブラシのライフサイクル全体のコストおよびカーボンフットプリントを低減させることができる。
【００６７】
図４（ａ）は、シェーバー１ｃの形態のハンドヘルド装置を示す。シェーバー１ｃは、柄部１１と、１以上のカミソリ刃１３ｃが設けられたシェーバーヘッド１２ｃの形態のヘッド部とを備えている。シェーバーは、歯ブラシに関連して上述したような、電気回路１４と電極１５、１６とをさらに備える。電極は、ヘッド部の両側に配置され、柄部１１に一体化された、残りの電気回路に接続される。電動デバイスは、１以上の発光ダイオードを備える発光素子１９ａである。昇圧コンバータ１８および電動デバイスを含む電気回路は、当業者が想到するように、歯ブラシのヘッド部または他の部分に一体化することもできる。
【００６８】
シェーバーが使用されるとき、電極は、水、シェービングクリームおよび／または皮膚上の水分と接触し、それにより上述の原理に従ってガルバニ電池を作り出す。ガルバニ電池は、昇圧コンバータ１８を介して発光素子１９ａに電力を供給し、光を放出することができる。放出された光は、機能的目的のため、およびユーザを導くための両方に使用されてもよい。電気回路１４は、上述したようなタイマ機能を提供するタイマ回路（不図示）を備えていてもよい。発光素子はまた、シェーバーが適切に使用されていることを示すために、または当業者によって想到される他の目的のために点灯されてもよい。歯ブラシに関して上述したように、発光素子１９はまた、紫外線スペクトルで光を放射するように適合されてもよい。さらに、電気回路および発光素子は、発光素子が、シェーバーまたはシェーバーヘッドの最初の使用時から開始される一定期間の間のみオンになるよう設計されてもよい。これにより、ユーザは、シェーバーまたはシェーバーヘッドを交換する時期を知ることができる。この機能は、ガルバニ電池が所定の期間後に動作を停止するように、例えば、ガルバニ電池の電極の大きさを寸法することによって実現されてもよい。
【００６９】
図４（ｂ）は、図４（ａ）の実施の形態と比較して、第３電極１７を追加で備えるシェーバーの別の実施の形態を示す。水、皮膚上の水分および／またはシェービングクリームと関連してシェーバーを使用する場合、上述のような電解槽や関連する電解反応が生成されてもよい。また、上述のように、電気分解は、皮膚に関連する有益な効果を持ち得る、様々なイオンおよび微小電流を生成してもよい。さらに、シェーバーヘッド１２ｃが、交換可能かつ使い捨て可能なパーツを構成し、シェーバーの残りのパーツよりも頻繁に交換することができるように、シェーバーを設計および製造してもよい。これは、1つ以上の電極が、シェーバーの残りの部品より早くに交換を必要とする場合に有利であるという明らかな理由であり得る。
【００７０】
一の実施の形態において、シェーバーにはまた、振動を放出するように適合された超音波トランスデューサ（不図示）または他の振動モジュールが設けられていてもよい。シェーバーヘッドを振動させることは、剃り味の質を向上させる公知の方法である。本発明によると、振動モジュールは、シェービングクリーム、水および／または皮膚上の水分を電解質として使用するガルバニ電池によって、電力を供給されてもよい。その結果、電池などの、外部電源または内蔵電源が不要となる。
【００７１】
図５は、ディッシュブラシの形態のハンドヘルド装置を示す。ディッシュブラシは、柄部１１と、ブラシ組立体１３ｂの形態の機能ユニットを備えた、ブッシュヘッド１２ｂの形態のヘッド部とを含む。ディッシュブラシは、点線の四角で示される電気回路１４と、ブラシ組立体に組み込まれるように示された第１および第２電極１５、１６とをさらに含む。なお、ここで、電極１５、１６は、歯ブラシの実施の形態に関連して説明したように、ブラシヘッド１２ｂの他の部分に組み込まれてもよい。電気回路は、柄部に、完全にまたは部分的に一体化されてもよい。電気回路は、発光素子１９ａの形態の電動デバイスを備え、発光素子１９ａは、１以上の発光ダイオードを含んでいてもよい。発光素子は、ヘッド部または柄部両方に関連して配置されてもよい。
【００７２】
ディッシュブラシは、振動を放出するように適合された超音波トランスデューサ（不図示）または他の振動モジュールをさらに備えてもよい。振動は、焦げたまたは乾燥した食品のような、特にすすぎにくい汚れまたは他の物質を除去するために、使用されてもよい。超音波トランスデューサまたは振動モジュールは、ユーザによって選択的に作動されてもよく、またはディッシュブラシが流体に露出したときに単に作動してもよい。
【００７３】
ディッシュブラシが、水または他の流体と組み合わされて使用されるとき、先に説明した原理に従ってガルバニ電池が生成される。ガルバニ電池は、発光素子１９ａに電力を供給し、可能であれば振動モジュールにも電力を供給する。放出された光は、機能的目的のため、およびユーザを導くために使用されてもよい。一の実施の形態では、電気回路１４には、ディッシュブラシに関連して使用される水の温度を測定するための温度センサ（不図示）が設けられている。温度センサは、温度を監視し、温度が所定の温度閾値を下回っているか上回っている場合に、発光素子を介してユーザに知らせる。これは、放出される光の色の変化によって行われてもよい。さらに、電気回路には、ディッシュブラシの使用期間を測るためのタイマ機能が設けられていてもよい。ディッシュブラシはまた、歯ブラシの実施形態に関して述べた特徴および機能を組み込んでもよい。
【００７４】
別の実施の形態では、発光デバイス１９は、紫外線スペクトルで光を放射するように適合されてもよく、発光デバイスは、放射された光がブラシ組立体１３ｂに到達するように配置されてもよい。紫外線は、ディッシュブラシの使用中または使用と使用との間の期間に細菌を死滅させるために使用されてもよい。
【００７５】
図６は、水または場合によっては別の流体を収容する容器内に沈められた浄水装置３を示す。浄水装置は、上述のように電気化学装置１を内蔵し、電気回路１４はハウジング３１内に配置されている。ハウジングは、水中に沈められるように適合されており、電気化学装置の電極１５、１６、１７は、ハウジングの外面３２に設けられている。浄水装置が水没し、電極が水に露出すると、上述のガルバニックおよび電解反応が開始される。これにより、細菌を殺したり、水を浄化したり、有益なイオンやミネラルで水を豊かにするよう手助けすることができるイオンが、電極から水中に放出されてもよい。
【００７６】
図７は、虫のかみ傷などの負傷した皮膚を洗浄する創傷消毒装置を示す。創傷消毒装置は、上述のように電気化学装置１を内蔵し、電気回路１４はハウジング４１内に配置される。電極は、負傷した皮膚の領域に押し当てられるように適合された、ハウジングの外部インターフェース４２上に設けられる。電極が負傷した領域の流体に露出すると、電極から、イオンおよび微小電流を流体および創傷内に放出することができる。
【００７７】
図８は、ボトルに取り付けられるボトルキャップ５の断面図を示す。ボトルキャップは、ボトルまたは他の容器（不図示）に取り付けられるフランジ５２と、ボトルから流体が流れる流体通路５３とを備える。ボトルキャップは、ボトルキャップの内面５１上の流体通路に電極が取り付けられた、上述のような電気化学装置１をさらに備える。これにより、電極は、ボトルから流れる流体に露出する。電極が液体に露出したとき、細菌を殺したり、水を浄化したり、有益なイオンやミネラルで水を豊かにするのに役立つイオンが水中に放出されてもよい。
【００７８】
図９は、光バンド６の前面および背面を示しており、頭、腕または身体の他の部分の周りに装着されるように適合されたヘッドバンドまたはアームバンドであってもよい。光バンドは、他の着用可能な衣類と一体化することもできる。光バンドは、上述の電気化学装置1と、光バンドの外面６１上に配置された複数の発光デバイス１９ａとを含む。発光素子１９ａは、電気回路１４および昇圧コンバータ１８に電気的に接続されている。電極１５、１６、１７は、ユーザの皮膚と接触するように適合されている光バンドの内面６２に配置されている。これにより、電極が、汗などの皮膚上の液体に露出したとき、発光素子はガルバニ電池から電力を供給され、電極からイオンが皮膚に放出されてもよい。
【００７９】
本発明を特定の実施の形態に関連して説明してきたが、提示された実施例に限定されるものとして決して解釈されるべきではない。ハンドヘルド装置は、昇圧コンバータと組み合わせたガルバニ電池がバックアップ電源またはバッテリの充電源として使用され得る、例えば、携帯電話またはタブレットであってもよい。
【００８０】
本発明の範囲は、添付の請求項によって定められる。特許請求の範囲の文脈において、「備える（ｃｏｍｐｒｉｓｉｎｇ）」または「備える（ｃｏｍｐｒｉｓｅｓ）」という用語は、他の可能な要素またはステップを排除するものではない。また、「ａ」または「ａｎ」などは、複数を排除するものとして解釈されるべきではない。図面に示された要素に関する特許請求の範囲内の参照符号の使用もまた、本発明の範囲を限定するものとして解釈されてはならない。さらに、異なる請求項に記載された個々の特徴は、有利に組み合わせられてもよく、異なる請求項におけるこれらの特徴に言及することは、特徴の組み合わせが可能でなく、有利であることを排除するものではない。
【００８１】
（項目）
本発明は、以下の項目にも関する。
１．イオンを放出する電気化学装置（１）であって、
・電極が電解質を構成する流体に露出したときにガルバニ電池を提供するように適合された第１電極（１５）および第２電極（１６）と、
・第１電極と第２電極との間に生成される電位（Ｖｉｎ）を増幅するように適合された昇圧コンバータ（１８）と、
を含む電気回路（１４）を備え、
電気回路は、昇圧コンバータの出力側に接続された第３電極（１７）をさらに備え、第２電極および第３電極は、電解質を構成する流体に露出するとガルバニ電池により電力を供給される電解槽を提供するように適合され、それにより、ガルバニ電池および電解槽における電気分解の間に、１以上の電極からイオンを電解質中に放出してもよい。
【００８２】
２．第１電極はガルバニ電池のカソード電極（１５）であり、第３電極は、電解槽のカソード電極であり、第２電極は、ガルバニ電池と電解槽とで共有される共通のアノード電極（１６）である、
項目１に記載の電気化学装置。
【００８３】
３．電気回路が、昇圧コンバータの出力側に接続された発光素子（１９ａ）または超音波トランスデューサ（１９ｂ）をさらに含む、
項目１または２に記載の電気化学装置。
【００８４】
４．昇圧コンバータは、強磁性体からなるトロイダルコア（２２）を含むトロイダルコアインダクタの形態のインダクタ（２１）と、トロイダルコアの周囲に巻かれるコイル（２３）とを備える、
先の項目のいずれかに記載の電気化学装置。
【００８５】
５．第１電極が、カーボンナノチューブまたはフラーレンなどのグラフェンを含み、アノード電極がマグネシウムまたは亜鉛を含み、第３電極が銀または銅を含む、
先の項目のいずれかに記載の電気化学装置。
【００８６】
６．項目１から５のいずれか１項に記載の電気化学装置を備える歯ブラシ（１ａ）であって、電極が歯ブラシのブラシヘッド部（１２ａ）に設けられており、それにより、電極が口腔内の流体に露出したとき、電極から口腔内にイオンが放出されてもよい、
歯ブラシ。
【００８７】
７．項目１から５のいずれか１項に記載の電気化学装置を備えるシェーバー（１ｃ）であって、電極はシェーバーのシェーバーヘッド部（１２ｃ）に設けられており、それにより、電極が皮膚上の流体に露出したとき、電極から皮膚上にイオンが放出されてもよい、
シェーバー。
【００８８】
８．項目１から５のいずれかに記載の電気化学装置を備えるボトルに装着されるボトルキャップ（５）であって、電極は、ボトル内の流体に露出するように配置されたボトルキャップの内面（５１）に設けられ、それにより、流体が電極を通過するとき、電極から流体中にイオンが放出されてもよい、
ボトルキャップ。
【００８９】
９．容器内の水を清浄化するように適合された浄水装置（３）であって、浄水装置は、
少なくとも部分的に水中に沈められるように適合されたハウジング（３１）内に配置された、項目１から５のいずれかに記載の電気化学装置を備え、
電極は、水没するように適合されたハウジングの外面（３２）に設けられており、それにより、電極が水に露出したとき、電極から水中にイオンが放出されてもよい、
浄水装置。
【００９０】
１０．ハウジング（４１）内に配置された項目１から５のいずれかに記載の電気化学装置を備える負傷した皮膚を洗浄する創傷消毒装置（４）であって、
電極は、負傷した皮膚の領域に押し付けられるように適合された外部インターフェース（４２）上に設けられており、それにより、電極が負傷した領域の流体に露出したとき、電極から流体および創傷内にイオンが放出されてもよい、
創傷消毒装置。
【００９１】
１１．流体に関連して使用されるように適合された、歯ブラシまたはシェーバーなどのハンドヘルド装置（２）であって、
・ユーザの手に保持される柄部（１１）と、
・ブラシ組立体またはカミソリ組立体などの機能ユニット（１３）を備えたヘッド部（１２）と、
・電気回路（１４）と、を備え、
ヘッド部には、ヘッド部が流体に露出したときにガルバニ電池を提供するように適合された、少なくとも第１電極（１５）および第２電極（１６）が設けられ、第１電極および第２電極は、第１および第２電極との間に生成された電位（Ｖｉｎ）を増幅するように適合された昇圧コンバータ（１８）を含む電気回路に接続され、ハンドヘルド装置は、昇圧コンバータの出力側に接続された発光素子（１９ａ）などの電動デバイス（１９）をさらに備える。
【００９２】
１２．第１電極はガルバニ電池のカソード電極（１５）であり、第２電極はガルバニ電池のアノード電極（１６）である、
項目１１に記載のハンドヘルド装置。
【００９３】
１３．電動デバイスは、パルスを送信するように適合された発光素子（１９ａ）および／または超音波トランスデューサ（１９ｂ）である、
項目１１または１２に記載のハンドヘルド装置。
【００９４】
１４．ハンドヘルド装置が歯ブラシ（１ａ）であり、ヘッド部が歯ブラシのブラシヘッド（１２ａ）である、
項目１１から１３のいずれかに記載のハンドヘルド装置。
【００９５】
１５．ヘッド部には、昇圧コンバータの出力側に接続された第３電極（１７）が設けられ、第２および第３電極は、ヘッド部が流体に露出したときに電解槽を提供するように適合されている、
項目１１から１４のいずれかに記載のハンドヘルド装置。
【００９６】
本発明はまた、本発明の第１の態様およびその実施の形態に係る、以下の項目および実施の形態に関する。
【００９７】
１６．第１電極はカーボンナノチューブまたはフラーレンなどのグラフェンを含み、第２電極はマグネシウムまたは亜鉛を含み、第３電極は銀または銅を含む、
本発明の第１の態様よびその実施の形態に記載の電気化学装置。
【００９８】
１７．電気化学装置が歯ブラシであって、第１、第２および第３電極が歯ブラシのブラシヘッド部分に設けられ、それにより、電極が口腔内の外部流体に露出したとき、電極から口腔内にイオンが放出されてもよい、
本発明の第１の態様よびその実施の形態に記載の電気化学装置。
【００９９】
１８．電気化学装置がシェーバーであって、第１、第２および第３電極がシェーバーのシェーバーヘッド部に設けられ、それにより、電極が皮膚上の外部流体に露出したとき、電極から皮膚上にイオンが放出されてもよい、
本発明の第１の態様よびその実施形の態に記載の電気化学装置。
【０１００】
１９．前記電気化学装置がボトルに装着されるボトルキャップであって、前記第１、第２及び第３電極が、前記ボトル内の前記外部流体に露出するように配置された前記ボトルキャップの内面に設けられ、それにより、電極が前記ボトル内の前記外部流体に露出したとき、電極から前記ボトル内の前記外部流体にイオンが放出されてもよい、
本発明の第１の態様よびその実施の形態に記載の電気化学装置。
【０１０１】
２０．前記電気化学装置が容器内の水を清浄化するように適合された浄水装置であって、前記第１、第２および第３電極は、少なくとも部分的に水中に沈められるように適合されたハウジング内に配置され、前記第１、第２及び第３電極は、水没するように適合された前記ハウジングの外面に設けられ、それにより、電極が例えば水などの前記外部流体に露出したとき、電極から前記外部流体にイオンが放出されてもよい、
本発明の第１の態様よびその実施の形態に記載の電気化学装置。
【０１０２】
２１．前記電気化学装置は、負傷した皮膚を洗浄する創傷消毒装置であり、前記第１、第２および第３の電極はハウジング内に配置されており、前記第１、第２および第３の電極は、負傷した皮膚の領域に押し付けられるように適合された外部インターフェースに設けられ、それにより、電極が負傷した領域に位置する前記外部流体に露出したとき、電極から負傷した領域の前記外部流体中にイオンが放出されてもよい、
本発明の第１の態様よびその実施の形態に記載の電気化学装置。
【０１０３】
２２．前記電動デバイスは、前記昇圧コンバータの出力側に接続された発光素子である、
本発明の第１の態様よびその実施の形態に記載の電気化学装置。
【０１０４】
２３．電気回路をさらに備える電気化学装置であって、
前記ハンドヘルド装置は、前記外部流体に関連して使用されるように適合され、前記ヘッド部には、機能ユニットが設けられ、前記ヘッド部には、前記ヘッド部が前記外部流体に露出したときに前記ガルバニ電池を提供するように適合された、少なくとも前記第１電極および前記第２電極が設けられ、前記第１電極および前記第２電極は、前記第１電極と前記第２電極との間に生成される電位（Ｖｉｎ）を増幅するように適合された前記昇圧コンバータを含む前記電気回路に接続され、前記ハンドヘルド装置は、前記昇圧コンバータの出力側に接続された発光素子などの前記電動デバイスをさらに備える、
本発明の第１の態様よびその実施の形態に記載の電気化学装置。
【０１０５】
２４．前記機能ユニットは、ブラシ組立体またはカミソリ組立体である、
本発明の第１の態様よびその実施の形態に記載の電気化学装置。
【０１０６】
２５．電動デバイスは、パルスを送信するように適合された発光素子および／または超音波トランスデューサである、
本発明の第１の態様よびその実施の形態に記載の電気化学装置。
【０１０７】
２６．前記ハンドヘルド装置は歯ブラシであり、前記ヘッド部は歯ブラシのブラシヘッドである、
本発明の第１の態様よびその実施の形態に記載の電気化学装置。
【０１０８】
２７．前記ヘッド部には、前記昇圧コンバータの出力側に接続された前記第３電極が設けられ、前記第２および第３電極は、前記ヘッド部が前記外部流体に露出したときに電解槽を提供するように適合されている、
本発明の第１の態様よびその実施の形態に記載の電気化学装置。
【図１Ａ】
0006684279.tif 000002
【図１Ｂ】
0006684279.tif 000003
【図１Ｃ】
0006684279.tif 000004
【図１Ｄ】
0006684279.tif 000005
【図２ａ】
0006684279.tif 000006
【図２ｂ】
0006684279.tif 000007
【図２ｃ】
0006684279.tif 000008
【図３】
0006684279.tif 000009
【図４ａ】
0006684279.tif 000010
【図４ｂ】
0006684279.tif 000011
【図５】
0006684279.tif 000012
【図６】
0006684279.tif 000013
【図７】
0006684279.tif 000014
【図８】
0006684279.tif 000015
【図９】
0006684279.tif 000016